【手続補正書】
【提出日】平成27年4月30日(2015.4.30)
【手続補正１】
【補正対象書類名】明細書
【補正対象項目名】０００８
【補正方法】変更
【補正の内容】
【０００８】
以下、上記本発明１）について詳しく説明するが、本発明の実施の態様には次の２）〜１５）も含まれるので、これらについても併せて説明する。
２）  少なくとも顔料、水溶性溶剤及び水を含有し、前記顔料が構造式（１）で表され、ＣｕＫα線（波長：１．５４１Å）のＸ線に対するブラッグ角（２θ±０．２°）に対して、２θ＝５．５°〜６．０°におけるピーク強度をＸ、２θ＝２６．５°〜２７．５°におけるピーク強度をＹとした時、式１の関係が成り立つものであることを特徴とするインクジェット記録用インク。
（式１）  Ｙ／Ｘ≦０．８
［構造式（１）］
【化２】
2014065890.tif 000001
上記式中、Ｒは、水素原子、メチル基、塩素原子のいずれかである。
３）  前記顔料として構造式（１）−１で表されるものを含むことを特徴とする１）又は２）に記載のインクジェット記録用インク。
［構造式（１）−１］
【化３】
2014065890.tif 000002
４）  前記顔料が構造式（１）−１で表されるものであることを特徴とする１）又は２）に記載のインクジェット記録用インク。
［構造式（１）−１］
【化４】
2014065890.tif 000003
５）  前記顔料の体積平均粒子径が３０〜１５０ｎｍであることを特徴とする１）〜４）のいずれかに記載のインクジェット記録用インク。
６）  更に、構造式（２）で表される分散剤を含有することを特徴とする１）〜５）のいずれかに記載のインクジェット記録用インク。
［構造式（２）］
Ａ１−Ｏ−Ｂ１
上記式中、Ａ１は炭素数８〜１２の分岐してもよいアルキル基、β−ナフチル基、スチレン化フェノール基、ジスチレン化フェノール基のいずれかであり、Ｂ１はＣＯＯＭ１、ＳＯ３Ｍ１、ＰＯ３Ｍ１２のいずれかであり、Ｍ１はＮａ、Ｋ、テトラメチルアンモニウム、エタノールアミンのいずれかである。
７）  更に、構造式（３）で表される分散剤を含有することを特徴とする１）〜５）のいずれかに記載のインクジェット記録用インク。
［構造式（３）］
【化５】
2014065890.tif 000004
上記式中、Ｒ１、Ｒ２、Ｒ３は、それぞれ独立に水素原子又はメチル基であり、Ｒ４、Ｒ５は、それぞれ独立にＮＨ２、ベンジル基、ステアリル基のいずれかであり、Ｂ１はＣＯＯＭ１又はＳＯ３Ｍ１（Ｍ１はＮａ、Ｋ、テトラメチルアンモニウム、エタノールアミンのいずれか）である。また、ｐ、ｑ、ｒは、それぞれ５〜５０の整数である。
８）  前記水溶性溶剤が、３−エチル−３−ヒドロキシメチルオキセタン、イソプロピリデングリセロール、Ｎ，Ｎ−ジメチル−β−メトキシプロピオンアミド、Ｎ，Ｎ−ジメチル−β−ブトキシプロピオンアミドのいずれか、又は２つ以上を含むことを特徴とする１）〜７）のいずれかに記載のインクジェット記録用インク。
９）  前記水溶性溶剤が、２−ピロリドンを含むことを特徴とする１）〜７）のいずれかに記載のインクジェット記録用インク。
１０）  少なくとも顔料、水溶性溶剤及び水を含有し、前記顔料として、構造式（１）−１で表され、ＣｕＫα線（波長：１．５４１Å）のＸ線に対するブラッグ角（２θ±０．２°）に対して２θ＝２８．０°〜２９．０°におけるピークがないものを含み、該顔料の体積平均粒子径が３０〜１５０ｎｍであり、前記水溶性溶剤として２−ピロリドンを含むことを特徴とするインクジェット記録用インク。
［構造式（１）−１］
【化６】
2014065890.tif 000005
１１）  少なくとも顔料、水溶性溶剤及び水を含有し、前記顔料が構造式（１）−１で表され、ＣｕＫα線（波長：１．５４１Å）のＸ線に対するブラッグ角（２θ±０．２°）に対して２θ＝２８．０°〜２９．０°におけるピークがないものであり、該顔料の体積平均粒子径が３０〜１５０ｎｍであり、前記水溶性溶剤として２−ピロリドンを含むことを特徴とするインクジェット記録用インク。
［構造式（１）−１］
【化７】
2014065890.tif 000006
１２）  １）〜１１）のいずれかに記載のインクジェット記録用インクを容器に収容したことを特徴とするインクカートリッジ。
１３）  １２）に記載のインクカートリッジを搭載したことを特徴とするインクジェット記録装置。
１４）  １）〜１１）のいずれかに記載のインクジェット記録用インクにエネルギーを作用させて、該インクを吐出させることを特徴とするインクジェット記録方法。
１５）  １）〜１１）のいずれかに記載のインクジェット記録用インクを用いて記録された記録物。
【手続補正２】
【補正対象書類名】明細書
【補正対象項目名】００１５
【補正方法】変更
【補正の内容】
【００１５】
−顔料−
本発明で用いる顔料Ａの具体例としては、構造式（１）−１で表される無置換のＣ．Ｉ．ピグメントバイオレット１９、構造式（１）−２で表されるメチルにより修飾置換したＣ．Ｉ．ピグメントレッド１２２、構造式（１）−３で表される塩素により修飾置換したＣ．Ｉ．ピグメントレッド２０２が挙げられる。
［構造式（１）−１］
【化８】
2014065890.tif 000007
［構造式（１）−２］
【化９】
2014065890.tif 000008
［構造式（１）−３］
【化１０】
2014065890.tif 000009
【手続補正３】
【補正対象書類名】明細書
【補正対象項目名】００３７
【補正方法】変更
【補正の内容】
【００３７】
フッ素系界面活性剤としては、パーフルオロアルキルスルホン酸塩、パーフルオロアルキルカルボン酸塩、パーフルオロアルキルリン酸エステル、パーフルオロアルキルエチレンオキサイド付加物、パーフルオロアルキルベタイン、パーフルオロアルキルアミンオキサイド、パーフルオロアルキルエーテル化合物等が挙げられる。特に下記構造式（４）で表されるフッ素系界面活性剤が有用である。
［構造式（４）］
【化１１】
2014065890.tif 000010
【手続補正４】
【補正対象書類名】明細書
【補正対象項目名】００６１
【補正方法】変更
【補正の内容】
【００６１】
実施例１０
＜分散体１０の作成＞
顔料を構造式（１）−３で表されるＣｉｎｑｕａｓｉａ  Ｍａｇｅｎｔａ  ＲＴ−２４３−Ｄ（ＢＡＳＦジャパン社製）に変え、マイクロリアクターＵＬＲＥＡの回転円盤に流し込む濃硫酸の顔料溶解液の流量を５ｍＬ／分に変えた点以外は、実施例１と同様にして顔料濃度３０重量％の顔料ペーストを得た。
次に、分散剤を下記構造式（５）−２で表される分散剤に変えた点以外は、実施例１と同様にして顔料濃度１５重量％の分散体１０を得た。
［構造式（５）−２］
【化１２】
2014065890.tif 000011
＜インクの作成＞
下記処方の分散体１０以外の材料を、イオン交換水に溶解してビヒクルを作成した後、分散体１０と混合し、１μｍのフィルターでろ過して実施例１０のインクを得た。
〔インク処方〕
・分散体１０                                                      ４０．０部
・グリセリン                                                      ２０．０部
・２−ピロリドン                                                    ５．０部
・１，３−ブタンジオール                                          １０．０部
・３−メチル−１，３−ブタンジオール                                ５．０部
・２−エチル−１，３−ヘキサンジオール                              ２．０部
・構造式（４）で表される界面活性剤                                  ０．０５部
・２−アミノ−２−エチル−１，３−プロパンジオール                  ０．５部
・プロキセルＬＶ（アーチ・ケミカルズ・ジャパン社製、防腐防黴剤）    ０．１部
・イオン交換水                                                    １７．３５部
【手続補正５】
【補正対象書類名】特許請求の範囲
【補正対象項目名】全文
【補正方法】変更
【補正の内容】
【特許請求の範囲】
【請求項１】
少なくとも顔料、水溶性溶剤及び水を含有し、前記顔料が構造式（１）で表され、ＣｕＫα線（波長：１．５４１Å）のＸ線に対するブラッグ角（２θ±０．２°）に対して、２θ＝２８．０°〜２９．０°におけるピークがないものであることを特徴とするインクジェット記録用インク。
［構造式（１）］
【化１３】
2014065890.tif 000012
上記式中、Ｒは、水素原子、メチル基、塩素原子のいずれかである。
【請求項２】
少なくとも顔料、水溶性溶剤及び水を含有し、前記顔料が構造式（１）で表され、ＣｕＫα線（波長：１．５４１Å）のＸ線に対するブラッグ角（２θ±０．２°）に対して、２θ＝５．５°〜６．０°におけるピーク強度をＸ、２θ＝２６．５°〜２７．５°におけるピーク強度をＹとした時、式１の関係が成り立つものであることを特徴とするインクジェット記録用インク。
（式１）  Ｙ／Ｘ≦０．８
［構造式（１）］
【化１４】
2014065890.tif 000013
上記式中、Ｒは、水素原子、メチル基、塩素原子のいずれかである。
【請求項３】
前記顔料として構造式（１）−１で表されるものを含むことを特徴とする請求項１又は２に記載のインクジェット記録用インク。
［構造式（１）−１］
【化１５】
2014065890.tif 000014
【請求項４】
前記顔料が構造式（１）−１で表されるものであることを特徴とする１）又は２）に記載のインクジェット記録用インク。
［構造式（１）−１］
【化１６】
2014065890.tif 000015
【請求項５】
前記顔料の体積平均粒子径が３０〜１５０ｎｍであることを特徴とする請求項１〜４のいずれかに記載のインクジェット記録用インク。
【請求項６】
更に、構造式（２）で表される分散剤を含有することを特徴とする請求項１〜５のいずれかに記載のインクジェット記録用インク。
［構造式（２）］
Ａ１−Ｏ−Ｂ１
上記式中、Ａ１は炭素数８〜１２の分岐してもよいアルキル基、β−ナフチル基、スチレン化フェノール基、ジスチレン化フェノール基のいずれかであり、Ｂ１はＣＯＯＭ１、ＳＯ３Ｍ１、ＰＯ３Ｍ１２のいずれかであり、Ｍ１はＮａ、Ｋ、テトラメチルアンモニウム、エタノールアミンのいずれかである。
【請求項７】
更に、構造式（３）で表される分散剤を含有することを特徴とする請求項１〜５のいずれかに記載のインクジェット記録用インク。
［構造式（３）］
【化１７】
2014065890.tif 000016
上記式中、Ｒ１、Ｒ２、Ｒ３は、それぞれ独立に水素原子又はメチル基であり、Ｒ４、Ｒ５は、それぞれ独立にＮＨ２、ベンジル基、ステアリル基のいずれかであり、Ｂ１はＣＯＯＭ１又はＳＯ３Ｍ１（Ｍ１はＮａ、Ｋ、テトラメチルアンモニウム、エタノールアミンのいずれか）である。また、ｐ、ｑ、ｒは、それぞれ５〜５０の整数である。
【請求項８】
前記水溶性溶剤が、３−エチル−３−ヒドロキシメチルオキセタン、イソプロピリデングリセロール、Ｎ，Ｎ−ジメチル−β−メトキシプロピオンアミド、Ｎ，Ｎ−ジメチル−β−ブトキシプロピオンアミドのいずれか、又は２つ以上を含むことを特徴とする請求項１〜７のいずれかに記載のインクジェット記録用インク。
【請求項９】
前記水溶性溶剤が、２−ピロリドンを含むことを特徴とする請求項１〜７のいずれかに記載のインクジェット記録用インク。
【請求項１０】
少なくとも顔料、水溶性溶剤及び水を含有し、前記顔料として、構造式（１）−１で表され、ＣｕＫα線（波長：１．５４１Å）のＸ線に対するブラッグ角（２θ±０．２°）に対して、２θ＝２８．０°〜２９．０°におけるピークがないものを含み、該顔料の体積平均粒子径が３０〜１５０ｎｍであり、前記水溶性溶剤として２−ピロリドンを含むことを特徴とするインクジェット記録用インク。
［構造式（１）−１］
【化１８】
2014065890.tif 000017
【請求項１１】
少なくとも顔料、水溶性溶剤及び水を含有し、前記顔料が構造式（１）−１で表され、ＣｕＫα線（波長：１．５４１Å）のＸ線に対するブラッグ角（２θ±０．２°）に対して、２θ＝２８．０°〜２９．０°におけるピークがないものであり、該顔料の体積平均粒子径が３０〜１５０ｎｍであり、前記水溶性溶剤として２−ピロリドンを含むことを特徴とするインクジェット記録用インク。
［構造式（１）−１］
【化１９】
2014065890.tif 000018
【請求項１２】
請求項１〜１１のいずれかに記載のインクジェット記録用インクを容器に収容したことを特徴とするインクカートリッジ。
【請求項１３】
請求項１２に記載のインクカートリッジを搭載したことを特徴とするインクジェット記録装置。
【請求項１４】
請求項１〜１１のいずれかに記載のインクジェット記録用インクにエネルギーを作用させて、該インクを吐出させることを特徴とするインクジェット記録方法。
【請求項１５】
請求項１〜１１のいずれかに記載のインクジェット記録用インクを用いて記録された記録物。